(57)【要約】【課題】実像式ファインダを備えたカメラの厚みを不使用時に薄くする。【解決手段】電源スイッチ１８をオンにすると、レンズ鏡筒１２が回転しながら繰り出され、レンズバリア１５が開いて撮影レンズ１４がレンズ用開口１２ａから露呈される。これに伴って、絞り開口１６が対物レンズ２１の前側焦点位置に挿入され、対物レンズ２１がほぼテレセントリックになるため、接眼レンズ２３を通して被写体像を周辺部まで明るくクリアに観察できる。電源スイッチ１８をオフにすると、レンズ鏡筒１２が回転しながら沈胴し、レンズバリア１５が撮影レンズ１４を遮蔽するとともに、絞り開口１６がファインダ光軸Ｌから待避し、デジタルカメラ１０が薄くなる。レンズ鏡筒１２の前部により対物レンズ２１が遮蔽されるから、対物レンズ２１に埃やゴミが付着しない。【選択図】　　　　図４
2004062067.tif 000002
【特許請求の範囲】
【請求項１】
撮影レンズを露呈する開位置と撮影レンズを遮蔽する閉位置との間で移動されるレンズバリアと、対物光学系で結像された倒立の被写体像を像反転光学系により正立させて接眼光学系を通して観察する実像式ファインダとを備えたカメラにおいて、
前記対物光学系より被写体側に少なくともファインダ光軸方向に移動自在な絞りを設け、前記絞りがレンズバリアの移動に伴って移動し、前記レンズバリアが開位置にある時には絞りが対物光学系から離間して対物光学系をほぼテレセントリックにする所定の離間位置に配置され、前記レンズバリアが閉位置にある時には絞りが少なくともファインダ光軸方向で対物光学系に接近する所定の近接位置に配置されることを特徴とするカメラ。
【請求項２】
前記絞りが離間位置に配置された状態では、前記絞りの開口部がファインダ光軸に挿入され、前記絞りが近接位置に配置された状態では、前記絞りの開口部がファインダ光軸から外れるとともに絞りを構成する部材のうち絞りの開口部を除く部分が対物光学系を遮蔽することを特徴とする請求項１記載のカメラ。
【請求項３】
前記絞りのファインダ光軸方向の移動量ｌは、前記対物光学系の焦点距離をｆとすると、ｌ≦ｆを満たすことを特徴とする請求項１または２記載のカメラ。
【発明の詳細な説明】
【０００１】
【発明の属する技術分野】
本発明は、実像式ファインダを備えていながら使用しない時には薄くできるカメラに関するものである。
【０００２】
実像式ファインダを備えたカメラが知られている。実像式ファインダは、凸の対物レンズで上下左右が反転した被写体の倒立実像を作り、その像をポロプリズム等の像反転光学系で正立正像とし、凸の接眼レンズで拡大して観察するファインダである。
【０００３】
このような実像式ファインダでは、対物レンズの前方に絞りが設けられている。この絞りが対物レンズに近い場合には、入射瞳位置も対物レンズ近傍にでき、その結果光線は発散しながら像反転光学系に入射する。このため、接眼レンズに入射する光線のケラレが生じ、被写体像の周辺部の明るさが大きく低下する。したがって、絞りは対物レンズをほぼテレセントリックにする位置に設定する必要がある。また、絞りが対物レンズから離れ過ぎると、対物レンズが大きくなってファインダが大型化する。
【０００４】
対物レンズをほぼテレセントリックにするとともに、対物レンズを大きくし過ぎない条件としては、特開２００１−４９２８に記載されているように、対物レンズの焦点距離をｆ０　とすると、絞りと対物レンズとの間隔ｄ１が、０．３ｆ０　＜ｄ１＜２．０ｆ０　を満たすことである。また、より好ましくは、ｄ１≒ｆ０　，すなわち絞りを対物レンズの前側焦点位置近傍に設けることである。
【０００５】
【発明が解決しようとする課題】
しかしながら、対物レンズの前側焦点位置近傍に絞りを設けると、絞りから接眼レンズまでのファインダ光学系全体の光路長が長くなるため、カメラの厚みが大きくなってカメラの携帯性が悪くなるという欠点が生じる。
【０００６】
本発明は、実像式ファインダを備えていながら使用しない時には薄くできるカメラを提供することを目的とする。
【０００７】
【課題を解決するための手段】
上記目的を達成するために、本発明のカメラは、撮影レンズを露呈する開位置と撮影レンズを遮蔽する閉位置との間で移動されるレンズバリアと、対物光学系で結像された倒立の被写体像を像反転光学系により正立させて接眼光学系を通して観察する実像式ファインダとを備えたカメラにおいて、前記対物光学系より被写体側に少なくともファインダ光軸方向に移動自在な絞りを設け、前記絞りがレンズバリアの移動に伴って移動し、前記レンズバリアが開位置にある時には絞りが対物光学系から離間して対物光学系をほぼテレセントリックにする所定の離間位置に配置され、前記レンズバリアが閉位置にある時には絞りが少なくともファインダ光軸方向で対物光学系に接近する所定の近接位置に配置されるものである。また、前記絞りが離間位置に配置された状態では、前記絞りの開口部がファインダ光軸に挿入され、前記絞りが近接位置に配置された状態では、前記絞りの開口部がファインダ光軸から外れるとともに絞りを構成する部材のうち絞りの開口部を除く部分が対物光学系を遮蔽するものである。また、前記絞りのファインダ光軸方向の移動量ｌは、前記対物光学系の焦点距離をｆとすると、ｌ≦ｆを満たすものである。
【０００８】
【発明の実施の形態】
本発明のデジタルカメラの外観を示す図１及び図２において、デジタルカメラ１０のカメラ本体１１の前面には、沈胴式のレンズ鏡筒１２，ストロボ発光窓１３が設けられている。レンズ鏡筒１２の前部中央部には、レンズ鏡筒１２内に組み込まれた撮影レンズ１４を露呈する円形のレンズ用開口１２ａが形成され、２枚の板部材１５ａ，１５ｂからなるレンズバリア１５によって開閉される。また、レンズ用開口１２ａの近傍には、ファインダの絞り開口１６が設けられている。デジタルカメラ１０の上面には、シャッタボタン１７，電源スイッチ１８が設けられている。
【０００９】
ファインダの構成を示す図３において、ファインダ２０は、絞り開口１６と、この奥に配置される正パワーの対物レンズ２１と、像反転光学系である像正立用のポロプリズム２２と、正パワーの接眼レンズ２３とからなる実像式ファインダである。対物レンズ２１による結像面には、視野枠２４と、ファインダ情報を表示する透過型の液晶表示板２５とが配置されている。
【００１０】
絞り開口１６は、対物レンズ２１の前側焦点位置近傍、すなわち対物レンズ２１から被写体側に向かって対物レンズ２１の焦点距離ｆだけ離れた位置に配置される。これにより、対物レンズ２１からポロプリズム２２に入射する光がファインダ光軸外においてもファインダ光軸と平行になって、対物レンズ２１がほぼテレセントリックになる。この結果、ポロプリズム２２から接眼レンズ２３に入射する光線もほぼ平行光束になり光線のケラレが少なくなるから、被写体像を周辺部まで明るくクリアに観察することができる。
【００１１】
前記レンズ鏡筒１２は、電源スイッチ１８のオン／オフに連動して、図１及び図４（Ａ）に示す引っ込み位置と、図２及び図４（Ｂ）に示す繰り出し位置との間で移動する。この移動量，すなわち絞り開口１６のファインダ２０の光軸Ｌ（以下ファインダ光軸Ｌ）方向の移動量ｌは、対物光学系の焦点距離をｆとすると、ｌ≦ｆを満たすように決められる。このようにすると、レンズ鏡筒１２の移動量が大きくなり過ぎず、カメラ１０をコンパクトに設計できる。
【００１２】
レンズ鏡筒１２が引っ込み位置にある時には、カメラ本体１１の前面から突出部がなくなってデジタルカメラ１０の厚みが薄くなる。また、レンズバリア１５の板部材１５ａ，１５ｂが閉位置にあり、撮影レンズ１４が遮蔽される。また、絞り開口１６がファインダ２０のファインダ光軸Ｌから待避し、ファインダ２０の対物レンズ２１がレンズ鏡筒１２の前部によって遮蔽されるから、ゴミや埃が対物レンズ２１に付着することが防止される。また、図示していないが、レンズ鏡筒１２が引っ込み位置にある時に絞り開口１６の背後に位置して絞り開口１６を塞ぐ部材がカメラ本体１１内に設けられている。
【００１３】
電源スイッチ１８をオンにして、レンズ鏡筒１２が引っ込み位置から繰り出し位置になる時には、図示しないモータの駆動によりレンズ鏡筒１２が時計方向に回転しながら突出する。この構成としては、周知の螺旋溝等が用いられる。そして、図２及び図４（Ｂ）に示すように、レンズバリア１５の板部材１５ａ，１５ｂが開位置に移動して撮影レンズ１４が露呈されるとともに、絞り開口１６が対物レンズ２１の前方のファインダ光軸Ｌに挿入される。レンズ鏡筒１２の回転に伴う板部材１５ａ，１５ｂの開閉は、カムや歯車等を用いた周知の連動機構が用いられる。
【００１４】
カメラ本体１１の背面側には、接眼レンズ２３に対応する位置にファインダ接眼窓１１ａが設けられている。また、撮影レンズ１４の後方には、ＣＣＤイメージセンサ２８が基板２９に実装されて設けられている。
【００１５】
このように構成されたデジタルカメラ１０を使用するには、電源スイッチ１８をオンにする。図１に示す状態からレンズ鏡筒１２が時計方向に回転しながらカメラ本体１１の前方に移動量ｌだけ繰り出される。これと同時に、レンズバリア１５の板部材１５ａ，１５ｂが開位置に移動し、撮影レンズ１４がレンズ用開口１２ａから露呈される。また、レンズ鏡筒１２の繰り出しに伴って、撮影レンズ１４の結像面にＣＣＤイメージセンサ２８の面が一致するように撮影レンズ１４がセットされる。
【００１６】
また、絞り開口１６が対物レンズ２１から被写体側へ焦点距離ｆだけ離れたファインダ光軸Ｌ上の前側焦点位置に挿入され、対物レンズ２１がほぼテレセントリックになる。これにより、接眼レンズ２３を通して被写体像を周辺部まで明るくクリアに観察できる。
【００１７】
ユーザは、接眼レンズ２３から被写体を観察し、視野枠２４によりフレーミングを行い、所望のタイミングでシャッタボタン１７を押圧する。この瞬間にＣＣＤイメージセンサ２８は、この光電面に結像していた光学的な被写体画像を電気的な撮像信号に変換して出力する。撮像信号は増幅された後、デジタル変換され、画像データが生成される。この画像データは、周知のようにホワイトバランス調節、ガンマ補正などの信号処理が施された後、メモリカード（図示せず）に記憶される。
【００１８】
撮影を終了して電源スイッチ１８をオフにすると、レンズ鏡筒１２が反時計方向に約９０°回転しながら沈胴する。この沈胴動作に連動してレンズバリア１５の板部材１５ａ，１５ｂが閉位置に移動し、撮影レンズ１４が遮蔽されるとともに、絞り開口１６がファインダ光軸Ｌから待避され、図１に示すように、レンズバリア１５の側方に移動する。
【００１９】
これにより、撮影レンズ１４がレンズバリア１５により保護されるとともに、対物レンズ２１がレンズ鏡筒１２の前部により保護され、埃やゴミが付着することが防止される。そして、カメラ本体１１の前面から突起物がなくなるため、デジタルカメラ１０が薄くコンパクトになり、上着やズボンのポケット等に入れて手軽に携帯できる。
【００２０】
以上説明した実施形態は、レンズ鏡筒の繰り出し位置での絞り開口の位置を対物レンズの前側焦点位置にしたが、本発明はこれに限定されることなく、対物レンズの前側焦点位置のほぼ近傍であればよい。また、上記実施形態は、デジタルカメラであったが、銀塩フイルムを用いるフイルムカメラでもよい。また、撮影レンズを単焦点レンズとしたが、ズームレンズでもよい。
【００２１】
また、絞りの移動は、光軸方向及びその放射方向に精度を必要としないため、機構を簡略化できるため、上記実施形態では絞りのみを移動させたが、絞りと対物レンズの両方を移動させることにより、不使用時のカメラの幅をより小さくできる。
【００２２】
また、上記実施形態では、絞りを構成する部材として沈胴式のレンズ鏡筒を用いたが、本発明はこれに限定されることなく、レンズバリアの開閉動作に連動して実像式ファインダの絞りが対物レンズの前側焦点位置近傍の離間位置と対物レンズ近傍の近接位置との間で移動される構成であれば、例えばカメラの前面に沿って移動されるレンズバリアに絞り開口を形成してもよい。
【００２３】
【発明の効果】
以上のように、本発明のカメラによれば、レンズバリアの開閉動作に連動して実像式ファインダの絞りが対物光学系をほぼテレセントリックにする離間位置と対物光学系近傍の近接位置との間で移動されるようにしたので、実像式ファインダを備えていながら使用しない時にはカメラの厚みを薄くできる。また、絞りが離間位置にあるときにはファインダ光軸に挿入される絞りの開口部が、絞りが近接位置にあるときにはファインダ光軸から外れて絞りを構成する部材のうち絞りの開口部を除く部分が対物光学系を遮蔽するので、不使用時には、対物光学系に埃やゴミが付着することを防止できる。また、絞りのファインダ光軸方向の移動量ｌは、対物光学系の焦点距離をｆとすると、ｌ≦ｆを満たすので、レンズ鏡筒の移動量が大きくなり過ぎず、カメラのコンパクト化に寄与できる。
【図面の簡単な説明】
【図１】レンズ鏡筒が引っ込み位置にある状態のデジタルカメラの外観を示す斜視図である。
【図２】レンズ鏡筒が繰り出し位置にある状態のデジタルカメラの外観を示す斜視図である。
【図３】ファインダの構成を示す斜視図である。
【図４】レンズ鏡筒が引っ込み位置にある状態（Ａ）と繰り出し位置にある状態（Ｂ）とを概略的に示すデジタルカメラの断面図である。
【符号の説明】
１０　デジタルカメラ
１２　レンズ鏡筒
１４　撮影レンズ
１５　レンズバリア
１６　絞り開口
２０　ファインダ
２１　対物レンズ
２２　ポロプリズム
２３　接眼レンズ
【図１】
2004062067.tif 000003
【図２】
2004062067.tif 000004
【図３】
2004062067.tif 000005
【図４】
2004062067.tif 000006